(57)【要約】【課題】  第三者が本人に成りすましてサービスの提供を受けることを阻止する。【解決手段】  位置情報を確認することが可能なＩＤカード１０６を利用し、印刷サービスを依頼する者１０５が、印刷サービスの提供者１０４にネットワークを経由して印刷データを送信する際に自分が所有するＩＤカード１０６のＩＤを付加して送信しておき、依頼者１０５が印刷サービスを提供する場所に現れた際に、サービス提供者１０４が告知されたＩＤカード１０６のＩＤを基にしてＩＤカード１０６の位置を取得し、その位置が印刷サービスを提供する場所と同じ位置にある場合にのみ印刷サービスを提供する。【選択図】  図２
2005165655.tif 000002
【特許請求の範囲】
【請求項１】
位置情報を確認することが可能なＩＤカードと、
サービスの提供を受けようとする本人が、サービス提供者に対して予め自分の所有する前記ＩＤカードのＩＤを告知するＩＤ告知手段と、
前記サービス提供者が前記告知されたＩＤカードのＩＤを基にして、そのＩＤカードの位置情報を取得する位置情報取得手段とを備え、
前記位置情報取得手段により取得したＩＤカードの位置が、前記サービスを提供する場所と同じ位置にある場合には本人がその場に居るものと判断し、前記サービスの提供を許可することを特徴とする本人認証システム。
【請求項２】
請求項１に記載の本人認証システムを用いて、前記サービスとしてネットワーク経由で受信した印刷データの印刷サービスを提供する印刷サービス提供システムであって、
印刷サービスを依頼する者が、前記印刷サービスの提供者にネットワークを経由して印刷データを送信する手段と、
印刷データを送信する際に自分が所有するＩＤカードのＩＤを付加して送信する手段と、
前記印刷サービスの依頼者が印刷サービスを提供する場所に現れた際に、前記位置情報取得手段により取得したＩＤカードの位置が、前記印刷サービスを提供する場所と同じ位置にある場合にのみ印刷サービスを提供することを特徴とする印刷サービス提供システム。
【請求項３】
依頼者側の情報処理装置と、ネットワークを介して前記依頼者側の情報処理装置と通信可能なサービス提供者側の情報処理装置とを利用して、前記依頼者が前記情報処理装置から前記ネットワークを介して前記サービス提供者側に所定データを送信した後に、前記依頼者が前記サービス提供者がサービスを提供する場所に赴いて、前記所定データに基づくサービスの提供を受けるようにしたサービス提供方法であって、
前記依頼者側の情報処理装置から所定データを送信する際に、前記依頼者が所有する、位置情報を確認することが可能なＩＤカードのＩＤ情報を付加して送信する手順と、
前記依頼者が前記サービス提供場所に赴いたときに、前記ＩＤカードの位置情報を取得する手順と、
前記ＩＤカードが前記サービス提供場所と同じ位置にある場合には、前記所定データに基づくサービスの提供を許可する手順とを有することを特徴としたサービス提供方法。
【発明の詳細な説明】
【技術分野】
【０００１】
本発明は、ＩＤカードを使った本人認証システム、更には本人認証システムを利用しての印刷サービス提供システム、及びサービス提供方法に関するものである。
【背景技術】
【０００２】
図３は従来の印刷サービスを提供するためのシステムの全体概要を示す図である。また、図４は従来の印刷サービスの流れを説明するためのフローチャートである。印刷データをプリントサービス店１０４で出力したい依頼者１０５は、印刷データをインターネット１０２を経由してプリントサービス店１０４に送る。この時、依頼者１０５は送信した印刷データに対して暗証番号を設定することが出来る（ステップＳ４０１）。
【０００３】
その後、プリントサービスの依頼者１０５は実際にプリントサービス店１０４に赴き（ステップＳ４０２）、自分の送信した印刷データの印刷をプリントサービス店１０４内のプリンタ１０７で行なう。
【０００４】
その際、プリンタ１０７においてプリントサービスの提供に先立って暗証番号の入力を要求する（ステップＳ４０３）。そして、依頼者１０５が入力した暗証番号が、予め設定した前記暗証番号と一致した場合には（ステップＳ４０４、４０５）、プリンタ１０７での印刷を許可する（ステップＳ４０６）。一方、依頼者１０５が入力した暗証番号が、予め設定した前記暗証番号と一致しない場合には（ステップＳ４０４、４０５）、プリンタ１０７での印刷を許可しない（ステップＳ４０６）。
【０００５】
このようにして暗証番号に基づいて印刷データを送信した本人がその場にいるかどうかを確認し、プリントサービスの提供を許可するか否かを判断する。
【発明の開示】
【発明が解決しようとする課題】
【０００６】
しかしながら、前述したような暗証番号による本人認証方式では、万一暗証番号が第三者に知られてしまった場合、悪意のある第三者が暗証番号を不正に使用して、本人に成りすますことができるという問題点があった。
【０００７】
本発明は前記のような点に鑑みてなされたものであり、第三者が本人に成りすましてサービスの提供を受けることを阻止することを目的とする。
【課題を解決するための手段】
【０００８】
本発明の本人認証システムは、位置情報を確認することが可能なＩＤカードと、サービスの提供を受けようとする本人が、サービス提供者に対して予め自分の所有する前記ＩＤカードのＩＤを告知するＩＤ告知手段と、前記サービス提供者が前記告知されたＩＤカードのＩＤを基にして、そのＩＤカードの位置情報を取得する位置情報取得手段とを備え、前記位置情報取得手段により取得したＩＤカードの位置が、前記サービスを提供する場所と同じ位置にある場合には本人がその場に居るものと判断し、前記サービスの提供を許可する点に特徴を有する。
本発明の印刷サービス提供システムは、前記本発明の本人認証システムを用いて、前記サービスとしてネットワーク経由で受信した印刷データの印刷サービスを提供する印刷サービス提供システムであって、印刷サービスを依頼する者が、前記印刷サービスの提供者にネットワークを経由して印刷データを送信する手段と、印刷データを送信する際に自分が所有するＩＤカードのＩＤを付加して送信する手段と、前記印刷サービスの依頼者が印刷サービスを提供する場所に現れた際に、前記位置情報取得手段により取得したＩＤカードの位置が、前記印刷サービスを提供する場所と同じ位置にある場合にのみ印刷サービスを提供する点に特徴を有する。
本発明のサービス提供方法は、依頼者側の情報処理装置と、ネットワークを介して前記依頼者側の情報処理装置と通信可能なサービス提供者側の情報処理装置とを利用して、前記依頼者が前記情報処理装置から前記ネットワークを介して前記サービス提供者側に所定データを送信した後に、前記依頼者が前記サービス提供者がサービスを提供する場所に赴いて、前記所定データに基づくサービスの提供を受けるようにしたサービス提供方法であって、前記依頼者側の情報処理装置から所定データを送信する際に、前記依頼者が所有する、位置情報を確認することが可能なＩＤカードのＩＤ情報を付加して送信する手順と、前記依頼者が前記サービス提供場所に赴いたときに、前記ＩＤカードの位置情報を取得する手順と、前記ＩＤカードが前記サービス提供場所と同じ位置にある場合には、前記所定データに基づくサービスの提供を許可する手順とを有する点に特徴を有する。
【発明の効果】
【０００９】
本発明によれば、サービスの提供を受けようとする本人が、予め自分の所有するＩＤカードのＩＤを登録し、サービスの提供者はそのＩＤを基にして、そのＩＤカードの位置情報を取得し、その位置がサービスを提供する場所と同じ位置にある場合には本人がその場に居るものと判断してサービスの提供を許可することができるので、第三者が本人に成りすましてサービスの提供を受けることを阻止することができる。
【発明を実施するための最良の形態】
【００１０】
以下、添付図面を参照して、本発明の好適な実施形態について説明する。図１は本発明を適用した印刷サービスを提供するためのシステムの全体概要を示す図である。また、図２は本発明を適用した印刷サービスの流れを説明するためのフローチャートである。
【００１１】
図１において、１０１はホストコンピュータ、１０２はインターネット網、１０３はＧＰＳ(Global Positioning System)衛星、１０４はプリントサービス店、１０５はプリントサービス依頼者、１０６はＩＤカード、１０７はプリンタである。
【００１２】
印刷データをプリントサービス店１０４で出力したい依頼者１０５は、印刷データをホストコンピュータ１０１からインターネット１０２を経由してプリントサービス店１０４に送る。この時、依頼者１０５は自分のＩＤカード１０６のＩＤ情報もプリントサービス店に送る（ステップＳ２０１）。
【００１３】
その後、プリントサービスの依頼者１０５は実際にプリントサービス店１０４に赴き（ステップＳ２０２）、自分の送信した印刷データの印刷をプリントサービス店１０４内のプリンタ１０７で行なう。
【００１４】
その際、プリンタ１０７はプリントサービスの提供に先立って、印刷データと一緒に送られてきたＩＤカード１０６のＩＤ情報を基に、そのＩＤカード１０６の位置情報をＧＰＳ衛星１０３に問い合わせる。ＧＰＳ衛星１０３は、ＩＤカード１０６の位置情報を取得し、これをプリンタ１０７に返す。
【００１５】
その結果、プリンタ１０７が取得したＩＤカード１０６の位置情報が、プリンタ１０７の設置されている位置に等しければ（ステップＳ２０４、２０５）、依頼者１０５が実際にプリントサービス店１０４に来店しているものと判断できるので、この印刷を許可する（ステップＳ２０６）。一方、プリンタ１０７が取得したＩＤカード１０６の位置情報が、プリンタ１０７の設置されている位置に等しくなければ（ステップＳ２０４、２０５）、プリンタ１０７は印刷要求を拒否し、プリントサービスの提供は行なわない（ステップＳ２０７）。
【００１６】
以上述べたようにして本人のＩＤカードのＩＤ情報を基に、そのＩＤカードの位置情報を確認することで本人がその場にいるかどうかを確認し、その認証結果と合わせてプリントサービスの提供を許可するか否かを判断する。
【００１７】
なお、ＩＤカードに格納されたＩＤ情報としては、本人が任意に登録したパスワードやホストコンピュータ１０１のマックアドレス等であってよい。
【００１８】
また、ＩＤカードの位置情報の取得手段としては、ＧＰＳのみならず、例えば携帯端末を用いた位置情報検出システムやＰＨＳの基地局による位置検出システム等を利用しても良い。
【００１９】
前述した実施形態の機能を実現するソフトウェアのプログラムコードを記録した記憶媒体を、システム或いは装置に供給し、そのシステム或いは装置のコンピュータ（又はＣＰＵやＭPＵ）が記憶媒体に格納されたプログラムコードを読み出し実行することによっても、本発明の目的が達成されることは言うまでもない。この場合、記憶媒体から読み出されたプログラムコード自体が本発明の新規な機能を実現することになり、そのプログラムコードを記憶した記憶媒体は本発明を構成することになる。プログラムコードを供給するための記憶媒体としては、例えば、フレキシブルディスク、ハードディスク、光ディスク、光磁気ディスク、ＣＤ−ＲＯＭ，ＣＤ−Ｒ、磁気テープ、不揮発性のメモリカード、ＲＯＭ等を用いることができる。
【００２０】
また、コンピュータが読み出したプログラムコードを実行することによって、前述した実施形態の機能が実現される他、そのプログラムコードの指示に基づき、コンピュータ上で稼動しているＯＳ等が実際の処理の一部又は全部を行い、その処理によっても前述した実施形態の機能が実現され得る。
【００２１】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によっても前述した実施形態の機能が実現され得る。
【００２２】
なお、本発明は、前述した実施形態の機能を実現するソフトウェアのプログラムコードを記録した記憶媒体から、そのプログラムをパソコン通信等通信ラインを介して要求者にそのプログラムを配信する場合にも適用できることは言うまでもない。
【図面の簡単な説明】
【００２３】
【図１】本発明を適用した印刷サービスを提供するためのシステムの全体概要を示す図である。
【図２】本発明を適用した印刷サービスの流れを説明するためのフローチャートである。
【図３】従来の印刷サービスを提供するためのシステムの全体概要を示す図である。
【図４】従来の印刷サービスの流れを説明するためのフローチャートである。
【符号の説明】
【００２４】
１０１    ホストコンピュータ
１０２    インターネット網
１０３    ＧＰＳ衛星
１０４    プリントサービス店
１０５    プリントサービス依頼者
１０６    ＩＤカード
１０７    プリンタ
【図１】
2005165655.tif 000003
【図２】
2005165655.tif 000004
【図３】
2005165655.tif 000005
【図４】
2005165655.tif 000006